(57)【要約】【課題】水槽内に水が残留することを抑制できる加湿フィルターを提供する。【解決手段】加湿フィルター１３３は、本体部１３３ａと、突出部１３３ｂとを備える。本体部１３３ａは、空気を通過させて空気を加湿する。突出部１３３ｂは、本体部１３３ａの周方向ＣＤに交差するように本体部１３３ａから突出する。本体部１３３ａの形状は、円形形状の一部又は全部を含むことが好ましい。突出部１３３ｂは、本体部１３３ａとともに単一の部材を構成していることが好ましい。【選択図】図５
2020204419.tif 000002
【特許請求の範囲】
【請求項１】
空気を通過させて前記空気を加湿する本体部と、
前記本体部の外縁に沿った方向に交差するように前記本体部から突出する突出部と
を備える、加湿フィルター。
【請求項２】
前記本体部の形状は、円形形状の一部又は全部を含み、
前記本体部の外縁に沿った前記方向は、前記本体部の周方向を示す、請求項１に記載の加湿フィルター。
【請求項３】
前記突出部は、前記本体部とともに単一の部材を構成している、請求項１又は請求項２に記載の加湿フィルター。
【請求項４】
複数の前記突出部を備え、
前記複数の突出部は、前記本体部の外縁に沿った前記方向に沿って配置される、請求項１から請求項３のいずれか１項に記載の加湿フィルター。
【請求項５】
水を貯留する水槽と、
前記水を吸水する加湿フィルターと
を備え、
前記加湿フィルターは、
空気を通過させて前記空気を加湿する本体部と、
前記本体部の外縁に沿った方向に交差するように前記本体部から突出する突出部と
を含む、加湿装置。
【請求項６】
前記本体部の形状は、円形形状の一部又は全部を含み、
前記本体部の外縁に沿った前記方向は、前記本体部の周方向を示し、
前記水槽の底面は、前記本体部の前記周方向に沿って湾曲し、
前記突出部は、前記水槽の底面の最下部に接触する、請求項５に記載の加湿装置。
【発明の詳細な説明】
【技術分野】
【０００１】
本発明は、加湿フィルター及び加湿装置に関する。
【背景技術】
【０００２】
特許文献１に記載された加湿装置では、気化フィルターと、気化フィルター収容器と、給水トレイとを備える。気化フィルターは、気化フィルター収容器に収容され、気化フィルター収容器とともに回転する。気化フィルターの一部は、給水トレイ内の水に浸漬される。
【先行技術文献】
【特許文献】
【０００３】
【特許文献１】特開２０１３−２０４８６８号公報
【発明の概要】
【発明が解決しようとする課題】
【０００４】
しかしながら、特許文献１に記載された加湿装置では、気化フィルター収容器が存在するため、給水トレイ（水槽）の底面と気化フィルター（加湿フィルター）の周縁部とが離隔している。従って、給水トレイ内の水が減少した場合、底面に残った水が気化フィルターによって完全に吸水されずに、給水トレイ内に残留する可能性がある。つまり、給水トレイ内の水を使い切れずに、水が給水トレイ内に残留する可能性がある。
【０００５】
本発明の目的は、水槽内に水が残留することを抑制できる加湿フィルター及び加湿装置を提供することにある。
【課題を解決するための手段】
【０００６】
本発明の一局面によれば、加湿フィルターは、本体部と、突出部とを備える。本体部は、空気を通過させて前記空気を加湿する。突出部は、前記本体部の外縁に沿った方向に交差するように前記本体部から突出する。
【０００７】
本発明の更に他の局面によれば、加湿装置は、水槽と、加湿フィルターとを備える。水槽は、水を貯留する。加湿フィルターは、前記水を吸水する。前記加湿フィルターは、本体部と、突出部とを備える。本体部は、空気を通過させて前記空気を加湿する。突出部は、前記本体部の外縁に沿った方向に交差するように前記本体部から突出する。
【発明の効果】
【０００８】
本発明によれば、水槽内に水が残留することを抑制できる加湿フィルター及び加湿装置を提供できる。
【図面の簡単な説明】
【０００９】
【図１】本発明の実施形態に係る加湿装置を示す斜視図である。
【図２】図１のＩＩ−ＩＩ線に沿った断面図である。
【図３】本実施形態に係る加湿フィルターを示す斜視図である。
【図４】本実施形態に係る加湿フィルターユニットを示す斜視図である。
【図５】図２に示す加湿装置の一部を拡大して示す断面図である。
【図６】図１のＶＩ−ＶＩ線に沿った断面図である。
【図７】本実施形態の第１変形例に係る加湿フィルターユニットを示す斜視図である。
【図８】本実施形態の第２変形例に係る加湿フィルターを示す斜視図である。
【図９】本実施形態の第３変形例に係る加湿フィルターを示す斜視図である。
【図１０】本実施形態の第４変形例に係る加湿フィルターを示す斜視図である。
【図１１】本実施形態の第５変形例に係る加湿フィルターユニットを示す斜視図である。
【図１２】本実施形態の第６変形例に係る加湿装置の一部を拡大して示す断面図である。
【発明を実施するための形態】
【００１０】
以下、本発明の実施形態について、図面を参照しながら説明する。なお、図中、同一または相当部分については同一の参照符号を付して説明を繰り返さない。また、図面には、説明の便宜のため、三次元直交座標系（Ｘ、Ｙ、Ｚ）を適宜記載している。そして、図中、Ｘ軸及びＹ軸は水平方向に平行であり、Ｚ軸は鉛直方向に平行である。
【００１１】
図１〜図６を参照して、本発明の実施形態に係る加湿装置１００を説明する。まず、図１及び図２を参照して、加湿装置１００を説明する。加湿装置１００は、気化方式によって空気を加湿する。
【００１２】
図１は、本実施形態に係る加湿装置１００を示す図である。図１に示すように、加湿装置１００は、筐体１と、操作パネル３とを備える。筐体１は、例えば、略直方体形状を有する。操作パネル３は筐体１の上面１ａに配置される。操作パネル３は、加湿装置１００を操作するための入力を受け付けたり、加湿装置１００の状態を報知したりする。加湿装置１００は、空気を吹き出すための吹出口５を有する。吹出口５は筐体１の上面１ａに配置される。
【００１３】
図２は、図１のＩＩ−ＩＩ線に沿った断面図である。図２では、加湿装置１００を側面断面視している。また、図２では、空気の流れを白抜きの矢印で示している。
【００１４】
図２に示すように、加湿装置１００は、脱臭フィルター９と、集塵フィルター１１と、加湿フィルターユニット１３と、回転軸１５と、一対の軸支持部１７と、水槽１９と、駆動機構２１と、送風機２３とをさらに備える。筐体１は、脱臭フィルター９、集塵フィルター１１、加湿フィルターユニット１３、回転軸１５、一対の軸支持部１７、水槽１９、駆動機構２１、及び、送風機２３を収容する。また、加湿装置１００は、空気を吸い込むための複数の吸込口７を有する。吸込口７は筐体１の背面１ｂに配置される。
【００１５】
送風機２３は、複数の吸込口７から空気を導入する。そして、送風機２３は、吹出口５から空気を吹き出す。従って、筐体１の内部には、複数の吸込口７と吹出口５とを連絡する送風路ＰＳが形成される。具体的には、送風機２３は、ファン２３ａと、ファンモーター２３ｂとを含む。ファンモーター２３ｂは、ファン２３ａを駆動して、ファン２３ａを回転させる。
【００１６】
脱臭フィルター９は、空気中の臭い成分を吸着する。臭い成分は、例えば、アセトアルデヒド、アンモニア、又は、酢酸である。脱臭フィルター９は、複数の吸込口７に対向して配置される。脱臭フィルター９は、例えば、不織布に活性炭を分散保持させた構成を有し、通気中の臭い成分を吸着又は除去する。
【００１７】
集塵フィルター１１は、通気中の微細な塵埃を捕集又は除去する。集塵フィルター１１は、脱臭フィルター９を介して複数の吸込口７に対向して配置される。集塵フィルター１１は、例えば、ＨＥＰＡ（Ｈｉｇｈ  Ｅｆｆｉｃｉｅｎｃｙ  Ｐａｒｔｉｃｕｌａｔｅ  Ａｉｒ）フィルターである。
【００１８】
加湿フィルターユニット１３は、送風路ＰＳ上に配置され、回転する。加湿フィルターユニット１３は、フィルターホルダー１３１と、加湿フィルター１３３とを含む。
【００１９】
フィルターホルダー１３１は、加湿フィルター１３３を保持する。フィルターホルダー１３１は、略円盤形状を有しており、例えば、合成樹脂製である。
【００２０】
加湿フィルター１３３は、送風路ＰＳにおいて、吸込口７、脱臭フィルター９、及び、集塵フィルター１１よりも、空気の流れの下流に配置される。具体的には、加湿フィルター１３３は、送風機２３と吸込口７との間に配置される。
【００２１】
加湿フィルター１３３は、吸水性及び通気性を有する。つまり、加湿フィルター１３３は、風が通るとともに、水を吸水する。加湿フィルター１３３は気化フィルターとして機能する。
【００２２】
水槽１９は、加湿フィルター１３３に対応して、筐体１の底部に配置される。水槽１９は、加湿フィルター１３３に供給する水Ｗを貯留する。水槽１９は、例えば、合成樹脂製である。加湿フィルター１３３の一部は、水槽１９内に位置して、水槽１９の水Ｗに浸漬される。具体的には、水槽１９に所定水位レベルＬＶの水Ｗが貯留されている場合、加湿フィルター１３３の一部は、水槽１９内に位置して、水槽１９の水Ｗに浸漬される。
【００２３】
回転軸１５は、加湿フィルターユニット１３を貫通している。回転軸１５は、加湿フィルターユニット１３の回転中心に固定される。具体的には、回転軸１５は、フィルターホルダー１３１の回転中心に固定される。つまり、回転軸１５は回転軸線ＡＸ上に配置される。回転軸１５は、略円柱形状を有している。
【００２４】
一対の軸支持部１７は、回転軸１５を、回転軸線ＡＸを中心として回転自在に支持する。つまり、一対の軸支持部１７は、回転軸１５を介して、加湿フィルターユニット１３を、回転軸線ＡＸを中心として回転自在に支持する。
【００２５】
具体的には、一対の軸支持部１７は、水槽１９の一対の側壁の上部から上方に延びている。一対の軸支持部１７の各々は、例えば、Ｕ字形状又は円形形状の支持体１７ａを含む。そして、一対の支持体１７ａは、回転軸１５を回転自在に支持する。支持体１７ａは、例えば、軸受であってもよい。
【００２６】
なお、回転軸１５が、一対の軸支持部１７に固定されていてもよい。この場合は、回転軸１５が、加湿フィルターユニット１３を、回転軸線ＡＸを中心として回転自在に支持する。つまり、回転軸１５が、フィルターホルダー１３１を回転自在に支持する。この場合、フィルターホルダー１３１は、回転中心に軸受を有することが好ましい。
【００２７】
駆動機構２１は、加湿フィルターユニット１３の周縁部に当接して、加湿フィルターユニット１３を回転させる。具体的には、駆動機構２１は、駆動ギア２１ａと、モーター２１ｂとを含む。駆動ギア２１ａの回転軸は、回転軸線ＡＸに対して略平行である。モーター２１ｂは、駆動ギア２１ａを駆動して、駆動ギア２１ａを回転させる。一方、フィルターホルダー１３１は、略円環形状の枠体１３１ａと、リングギア１３１ｘとを含む。リングギア１３１ｘは、枠体１３１ａの外周面１３１１において円周上に形成されている。リングギア１３１ｘには、駆動ギア２１ａが噛み合う。従って、駆動ギア２１ａがモーター２１ｂによって回転すると、フィルターホルダー１３１が回転軸線ＡＸを中心として回転する。その結果、フィルターホルダー１３１とともに、加湿フィルター１３３が、回転軸線ＡＸを中心として回転する。つまり、駆動ギア２１ａがモーター２１ｂによって回転すると、加湿フィルターユニット１３が回転軸線ＡＸを中心として回転する。
【００２８】
なお、駆動機構２１は、駆動ギア２１ａに代えて、ローラーを含んでいてもよい。また、加湿フィルターユニット１３が回転軸線ＡＸを中心として回転可能である限りは、加湿装置１００は回転軸１５を備えていなくてもよい。例えば、水槽１９内に複数の回転体を配置して、複数の回転体が加湿フィルターユニット１３を回転自在に支持してもよい。この場合、後述する突出部１３３ｂが複数の回転体に接触しないように、複数の回転体が配置される。
【００２９】
次に、図２及び図３を参照して、加湿フィルター１３３の詳細を説明する。図２に示すように、加湿フィルター１３３は、本体部１３３ａと、突出部１３３ｂとを含む。本体部１３３ａは吸水性及び通風性を有する。そして、本体部１３３ａは、空気を通過させて、空気を加湿する。突出部１３３ｂは、少なくとも吸水性を有し、通風性を有していてもよい。本実施形態では、突出部１３３ｂを設けることで、水槽１９内に水Ｗが残留することを抑制できる。
【００３０】
本体部１３３ａ及び突出部１３３ｂは、回転軸線ＡＸを中心として回転する。本体部１３３ａの一部は、水槽１９の水Ｗに浸漬される。送風機２３は、吸水した本体部１３３ａに対して、加湿装置１００が設置されている室内の空気を吸込口７から送風する。その結果、本体部１３３ａに吸収されていた水が蒸散する。そして、送風機２３は、蒸散した水を含む空気を吹出口５から、加湿装置１００が設置されている室内に向けて送風する。その結果、室内の空気が加湿される。
【００３１】
図３は、加湿フィルター１３３を示す斜視図である。図３に示すように、加湿フィルター１３３の本体部１３３ａは、回転軸線ＡＸ（図２）上に貫通孔１３３ｃを有する。
【００３２】
本実施形態では、本体部１３３ａは、プリーツ構造を有する。具体的には、本体部１３３ａは、シート材が蛇腹状に折り重ねられた形状を有する。つまり、本体部１３３ａは、側面断面視においてジグザグ形状を有する。その結果、本体部１３３ａの表面積が大きくなって含水量が大きくなる。本実施形態において、側面断面視は、回転軸線ＡＸ（図２）に直交し、かつ、水平方向に平行な方向から対象の断面を見ることを示す。なお、本体部１３３ａは、吸水性及び通風性を有する限りにおいては、蛇腹状でなくてもよく、他の形状をとり得る。例えば、本体部１３３ａは、ハニカム構造を有していてもよい。
【００３３】
本体部１３３ａの形状は、略円形形状の一部を含む。本実施形態では、本体部１３３ａは、正面視において、略Ｄ字形状を有する。本実施形態において、正面視は、回転軸線ＡＸ（図２）の延びる方向から対象を見ることを示す。なお、本体部１３３ａの形状は、略円形形状の全部を含んでいてもよい。例えば、本体部１３３ａは、略円盤形状を有していてもよい。なお、本体部１３３ａの形状に関し、「円形形状」は、曲線を含む形状である限りは、略真円形状であってもよいし、略楕円形状であってもよい。
【００３４】
本実施形態によれば、本体部１３３ａの形状が、略円形形状の一部又は全部を含むことで、加湿フィルター１３３を回転させながら本体部１３３ａに吸水させる加湿装置１００に好適な加湿フィルター１３３を提供できる。
【００３５】
突出部１３３ｂは、本体部１３３ａの周縁部ＥＧに配置される。加えて、突出部１３３ｂは、周縁部ＥＧにおいて、駆動ギア２１ａ（図２）と接触しない位置に配置される。
【００３６】
具体的には、本体部１３３ａは、第１端部ＥＧ１と、第２端部ＥＧ２とを有する。そして、突出部１３３ｂは、本体部１３３ａの第１端部ＥＧ１に配置される。第１端部ＥＧ１は、本体部１３３ａの第１方向Ｄ１の両端部のうちの一方端部である。第１端部ＥＧ１が最下位置に位置する場合、第１端部ＥＧ１は水槽１９の水Ｗに浸漬される。第２端部ＥＧ２は、本体部１３３ａの第１方向Ｄ１の両端部のうちの他方端部である。第２端部ＥＧ２が、最下位置に位置するとともに、水槽１９の水面に略平行である場合、第２端部ＥＧ２は水槽１９の水Ｗに浸漬されない。
【００３７】
第１方向Ｄ１は第２方向Ｄ２に交差する。本実施形態では、第１方向Ｄ１は第２方向Ｄ２に略直交する。第２方向Ｄ２は、本体部１３３ａの折り目の延びる方向を示す。
【００３８】
特に、本実施形態では、突出部１３３ｂは、本体部１３３ａとともに単一の部材を構成している。従って、部品点数及び組立工程を削減できる。具体的には、本体部１３３ａを構成する折り重ねられたシート材の端部が、突出部１３３ｂを構成する。従って、突出部１３３ｂの素材は、本体部１３３ａの素材と同じである。なお、突出部１３３ｂは、本体部１３３ａに対して別部材であってもよい。
【００３９】
突出部１３３ｂは、一例として、側面視において略Ｌ字形状を有する。側面視は、回転軸線ＡＸ（図２）に直交し、かつ、水平方向に平行な方向から対象を見ることを示す。
【００４０】
具体的には、突出部１３３ｂは、接触片１３３１と、基部１３３３とを含む。基部１３３３は、本体部１３３ａの第１端部ＥＧ１から、本体部１３３ａの径方向ＲＤ外側に向かって延びている。つまり、基部１３３３は、第１端部ＥＧ１から第１方向Ｄ１外側に向かって延びている。
【００４１】
接触片１３３１は、基部１３３３から、回転軸線ＡＸ（図２）の延びる方向に沿って延びている。つまり、接触片１３３１は、基部１３３３から、第３方向Ｄ３に沿って延びている。第３方向Ｄ３は、第１方向Ｄ１及び第２方向Ｄ２に略直交する。
【００４２】
次に、図４を参照して、フィルターホルダー１３１及び加湿フィルター１３３を説明する。図４は、加湿フィルターユニット１３を示す斜視図である。なお、図４では、リングギア１３１ｘを簡略化して図示している。
【００４３】
図４に示すように、加湿フィルターユニット１３のフィルターホルダー１３１は、枠体１３１ａに加えて、複数の第１補強部材１３１ｂと、第２補強部材１３１ｃと、軸挿通部１３１ｄと、非吸水部１３１ｅとを含む。
【００４４】
枠体１３１ａは、本体部１３３ａの周縁部ＥＧ（図３）を覆い、本体部１３３ａを保持する。つまり、枠体１３１ａは、加湿フィルター１３３を保持する。
【００４５】
軸挿通部１３１ｄは、略円筒形状を有し、本体部１３３ａの貫通孔１３３ｃに挿入される。軸挿通部１３１ｄには、回転軸１５（図２）が挿通される。本実施形態では、軸挿通部１３１ｄに回転軸１５が固定される。なお、回転軸１５が軸挿通部１３１ｄに固定されずに、軸挿通部１３１ｄが軸受を有していてもよい。
【００４６】
複数の第１補強部材１３１ｂは、軸挿通部１３１ｄを中心に放射状に延びて、枠体１３１ａに接続される。その結果、枠体１３１ａは複数の第１補強部材１３１ｂによって補強される。
【００４７】
第２補強部材１３１ｃは、略円環形状を有し、複数の第１補強部材１３１ｂを連結する。その結果、複数の第１補強部材１３１ｂは第２補強部材１３１ｃによって補強される。
【００４８】
非吸水部１３１ｅは、フィルターホルダー１３１のうち、本体部１３３ａと対向しておらず、吸水に寄与しない部分である。非吸水部１３１ｅは、略平板形状及び略弓形状を有する。加湿装置１００の非駆動時には、非吸水部１３１ｅは、水槽１９（図２）に収容される位置に配置される。その結果、加湿装置１００の非駆動時には、本体部１３３ａは水Ｗに浸からない。
【００４９】
加湿フィルター１３３の突出部１３３ｂは、フィルターホルダー１３１の側方から引き出されている。本実施形態では、突出部１３３ｂは、非吸水部１３１ｅの位置と異なる位置において、フィルターホルダー１３１の側方から引き出されている。具体的には、突出部１３３ｂは、非吸水部１３１ｅの位置と異なる位置において、枠体１３１ａの側面１３１３の側から引き出されている。
【００５０】
次に、図３及び図５を参照して、加湿フィルター１３３の突出部１３３ｂの詳細を説明する。図５は、図２に示す加湿装置１００の一部を拡大して示す断面図である。図５では、図２に示す領域Ａを拡大している。また、図５では、水槽１９の水Ｗが減少して、水槽１９の水位が所定水位レベルＬＶよりも低い場合を示している。
【００５１】
図５に示すように、加湿フィルター１３３の本体部１３３ａ、及び、フィルターホルダー１３１は、水槽１９の底面１９ａに対して離隔している。従って、本体部１３３ａ及びフィルターホルダー１３１は、水槽１９の底面１９ａに対して離隔しつつ回転する。具体的には、本体部１３３ａの周縁部ＥＧ及びフィルターホルダー１３１の枠体１３１ａは、水槽１９の底面１９ａに対して離隔しつつ回転する。
【００５２】
図３に示すように、加湿フィルター１３３の突出部１３３ｂは、本体部１３３ａの周方向ＣＤに交差するように本体部１３３ａから突出する。従って、図５に示すように、本実施形態によれば、本体部１３３ａが水槽１９の底面１９ａに対して離隔している場合であっても、突出部１３３ｂによって水槽１９の底面１９ａに残留している水を吸水できる。その結果、水槽１９内に水Ｗが残留することを抑制できる。本体部１３３ａの周方向ＣＤは、「本体部の外縁に沿った方向」の一例に相当する。
【００５３】
具体的には、加湿フィルター１３３の突出部１３３ｂは、水槽１９の底面１９ａに接触して吸水する。従って、本実施形態によれば、本体部１３３ａが水槽１９の底面１９ａに対して離隔している場合であっても、水槽１９内に水Ｗが残留することを抑制できる。つまり、水槽１９の底面１９ａに残った水Ｗを使い切って、水槽１９に水Ｗが残留することを抑制できる。水槽１９に水Ｗが残留することを抑制できると、水槽１９を長期間にわたって清潔に保つことができる。換言すれば、突出部１３３ｂは、水槽１９をクリーニングする。
【００５４】
更に具体的には、突出部１３３ｂは、水槽１９の底面１９ａに当接して吸水する。特に、突出部１３３ｂは、加湿フィルター１３３の回転時では、水槽１９の底面１９ａに摺接する。その結果、突出部１３３ｂによって水Ｗが吸水されて、水槽１９内に水Ｗが残留することを更に抑制できる。
【００５５】
更に具体的には、突出部１３３ｂの接触片１３３１が水槽１９の底面１９ａに接触する。本実施形態では、接触片１３３１が底面１９ａに面接触する。さらに具体的には、接触片１３３１が底面１９ａに当接する。特に、接触片１３３１は、加湿フィルター１３３の回転時では、水槽１９の底面１９ａに摺接する。
【００５６】
突出部１３３ｂは、柔軟性を有する。突出部１３３ｂは、フィルターホルダー１３１よりも柔らかい。従って、加湿フィルター１３３の回転時では、突出部１３３ｂは、水槽１９の底面１９ａに摺接しながら、水槽１９の底面１９ａに残留する水Ｗを拭き取るように吸水できる。その結果、水槽１９内に水Ｗが残留することを更に抑制できる。
【００５７】
なお、突出部１３３ｂが、水槽１９の底面１９ａに接触する限りにおいては、突出部１３３ｂの形状は特に限定されない。
【００５８】
次に、図６を参照して、水槽１９を説明する。図６は、図１のＶＩ−ＶＩ線に沿った断面図である。図６に示すように、加湿装置１００は給水容器３３をさらに備える。給水容器３３は水槽１９に連結される。給水容器３３は、水槽１９の水Ｗが所定水位レベルＬＶになるように、水槽１９に水を供給する。給水容器３３が空になると、水槽１９に水が供給されずに、水槽１９の水Ｗが減少する。図６では、水槽１９の水Ｗが減少して、水槽１９の水位が所定水位レベルＬＶよりも低い場合を示している。
【００５９】
水槽１９の底面１９ａは、正面断面視において、本体部１３３ａの周方向ＣＤに沿って湾曲している。従って、水槽１９の水Ｗが減少すると、水Ｗは底面１９ａの最下部ＢＴに集まる。そして、突出部１３３ｂは、水槽１９の底面１９ａの最下部ＢＴに接触する。従って、本実施形態によれば、突出部１３３ｂは、水槽１９に残留する水Ｗを効果的に吸水できる。その結果、水槽１９内に水Ｗが残留することを更に抑制できる。水槽１９の底面１９ａは、正面断面視において、最下部ＢＴに向かって傾斜している。
【００６０】
なお、正面断面視は、回転軸線ＡＸ（図２）の延びる方向から対象の断面を見ることを示す。また、最下部ＢＴは、水槽１９の底面１９ａの最下点を含む局所的な領域を示す。
【００６１】
突出部１３３ｂの接触片１３３１は、正面断面視において、水槽１９の底面１９ａに沿って湾曲していることが好ましい。この好ましい例では、接触片１３３１と底面１９ａとの接触面積を大きくできるため、水槽１９に残留する水Ｗを更に効果的に吸水できる。
【００６２】
（第１変形例）
図７を参照して、本発明の実施形態の第１変形例に係る加湿装置１００を説明する。第１変形例に係る加湿装置１００では、フィルターホルダー１３１からの突出部１３３ｂの引き出し構造が、図４を参照して説明した本実施形態に係る加湿装置１００と主に異なる。以下、第１変形例が本実施形態と異なる点を主に説明する。
【００６３】
図７は、第１変形例に係る加湿フィルターユニット１３Ａを示す斜視図である。図７に示すように、加湿フィルターユニット１３Ａの枠体１３１ａは、貫通孔１３１ｆを有する。突出部１３３ｂは、貫通孔１３１ｆを貫通し、貫通孔１３１ｆから引き出される。つまり、突出部１３３ｂは、貫通孔１３１ｆから突出している。貫通孔１３１ｆは、枠体１３１ａにおいて、リングギア１３１ｘに対して離隔した位置に配置される。従って、第１変形例によれば、突出部１３３ｂが駆動ギア２１ａ（図２）と接触することを容易に回避できる。
【００６４】
（第２変形例）
図８を参照して、本発明の実施形態の第２変形例に係る加湿装置１００を説明する。第２変形例に係る加湿装置１００では、加湿フィルター１３３Ａの突出部１３３ｂがスリットＳＬを有する点で、第２変形例は、図３を参照して説明した本実施形態に係る加湿装置１００と主に異なる。以下、第２変形例が本実施形態と異なる点を主に説明する。
【００６５】
図８は、第２変形例に係る加湿フィルター１３３Ａを示す斜視図である。図８に示すように、加湿フィルター１３３Ａの突出部１３３ｂは、少なくとも１つのスリットＳＬを有する。図８の例では、突出部１３３ｂは複数のスリットＳＬを有する。従って、第２変形例によれば、加湿フィルター１３３の回転時において、突出部１３３ｂは、水槽１９の底面１９ａに効果的に摺接する。その結果、突出部１３３ｂは、水槽１９に残留する水Ｗを効果的に吸水できて、水槽１９内に水Ｗが残留することを更に抑制できる。
【００６６】
具体的には、複数のスリットＳＬは接触片１３３１に配置される。複数のスリットＳＬの各々は第３方向Ｄ３に沿って延びる。第３方向Ｄ３は、「所定方向」の一例に相当する。第３方向Ｄ３は、本体部１３３ａの周方向ＣＤ及び径方向ＲＤに交差する。具体的には、第３方向Ｄ３は、本体部１３３ａの周方向ＣＤ及び径方向ＲＤに略直交する。
【００６７】
（第３変形例）
図９を参照して、本発明の実施形態の第３変形例に係る加湿装置１００を説明する。第３変形例に係る加湿装置１００では、加湿フィルター１３３Ｂの突出部１３３ｂがブラシ１３３５を有する点で、第３変形例は、図３を参照して説明した本実施形態に係る加湿装置１００と主に異なる。以下、第３変形例が本実施形態と異なる点を主に説明する。
【００６８】
図９は、第３変形例に係る加湿フィルター１３３Ｂを示す斜視図である。図９に示すように、加湿フィルター１３３Ｂの突出部１３３ｂは、ブラシ１３３５を有する。そして、ブラシ１３３５は、水槽１９の底面１９ａに接触する。従って、第３変形例によれば、ブラシ１３３５は、水槽１９に残留する水Ｗを効果的に拭い取って吸水できる。その結果、水槽１９内に水Ｗが残留することを更に抑制できる。
【００６９】
具体的には、加湿フィルター１３３Ｂの回転時において、ブラシ１３３５は、水槽１９の底面１９ａに摺接する。また、ブラシ１３３５は、基部１３３３から延びている。さらに、ブラシ１３３５は、例えば、多数の繊維から構成される。
【００７０】
（第４変形例）
図１０を参照して、本発明の実施形態の第４変形例に係る加湿装置１００を説明する。第４変形例に係る加湿装置１００では、加湿フィルター１３３Ｃが一対の突出部１３３ｂを有する点で、第４変形例は、図３を参照して説明した本実施形態に係る加湿装置１００と主に異なる。以下、第４変形例が本実施形態と異なる点を主に説明する。
【００７１】
図１０は、第４変形例に係る加湿フィルター１３３Ｃを示す斜視図である。図１０に示すように、加湿フィルター１３３Ｃの本体部１３３ａは、略円盤形状を有する。また、加湿フィルター１３３Ｃは、複数の突出部１３３ｂを含む。具体的には、第４変形例では、加湿フィルター１３３Ｃは一対の突出部１３３ｂを含む。一対の突出部１３３ｂは、互いに本体部１３３ａの径方向ＲＤに対向する。一対の突出部１３３ｂの各々は、本体部１３３ａの周方向ＣＤに交差するように本体部１３３ａから突出している。そして、一対の突出部１３３ｂは、本体部１３３ａの周方向ＣＤに沿って配置される。従って、加湿フィルター１３３Ｃが１つの突出部１３３ｂを含む場合よりも、水槽１９の底面１９ａに残留する水Ｗを効果的に吸水できる。その結果、水槽１９内に水Ｗが残留することを更に抑制できる。
【００７２】
一対の突出部１３３ｂのうちの一方の突出部１３３ｂの配置は、図３を参照して説明した本実施形態に係る突出部１３３ｂの配置と同様である。
【００７３】
一対の突出部１３３ｂのうちの他方の突出部１３３ｂは、本体部１３３ａの第２端部ＥＧ２に配置される。具体的には、突出部１３３ｂの基部１３３３は、本体部１３３ａの第２端部ＥＧ２から、本体部１３３ａの径方向ＲＤ外側に向かって延びている。つまり、基部１３３３は、第２端部ＥＧ２から第１方向Ｄ１外側に向かって延びている。
【００７４】
特に、第４変形例では、一対の突出部１３３ｂは、本体部１３３ａとともに単一の部材を構成している。従って、部品点数及び組立工程を削減できる。具体的には、本体部１３３ａを構成する折り重ねられたシート材の一端部が、一方の突出部１３３ｂを構成し、シート材の他端部が、他方の突出部１３３ｂを構成する。従って、一対の突出部１３３ｂの素材は、本体部１３３ａの素材と同じである。なお、一対の突出部１３３ｂは、本体部１３３ａに対して別部材であってもよい。
【００７５】
なお、第４変形例では、加湿フィルター１３３Ｃを保持するフィルターホルダー１３１は、図４に示す非吸水部１３１ｅを有していない。また、突出部１３３ｂの数は３以上であってもよい。さらに、複数の突出部１３３ｂが本体部１３３ａの周縁部ＥＧに配置される限りにおいては、複数の突出部１３３ｂの配置は特に限定されない。
【００７６】
（第５変形例）
図１１を参照して、本発明の実施形態の第５変形例に係る加湿装置１００を説明する。第５変形例に係る加湿装置１００では、加湿フィルター１３３Ｄが複数の突出部１３３ｂを有する点で、第５変形例は、図３を参照して説明した本実施形態に係る加湿装置１００と主に異なる。以下、第５変形例が本実施形態と異なる点を主に説明する。
【００７７】
図１１は、第５変形例に係る加湿フィルターユニット１３Ｂを示す斜視図である。図１１に示す加湿フィルターユニット１３Ｂにおいて、加湿フィルター１３３Ｄの本体部１３３ａは、図３に示す加湿フィルター１３３の本体部１３３ａと同様の構成を有する。
【００７８】
また、加湿フィルター１３３Ｄは、複数の突出部１３３ｂ（図１１の例では、５つの突出部１３３ｂ）を含む。複数の突出部１３３ｂの各々は、本体部１３３ａの周方向ＣＤに交差するように本体部１３３ａから突出している。そして、複数の突出部１３３ｂは、本体部１３３ａの周方向ＣＤに沿って配置される。従って、第５変形例によれば、加湿フィルター１３３Ｄが１つの突出部１３３ｂを含む場合よりも、水槽１９の底面１９ａに残留する水Ｗを効果的に吸水できる。その結果、水槽１９内に水Ｗが残留することを更に抑制できる。
【００７９】
具体的には、第５変形例では、複数の突出部１３３ｂは、加湿フィルター１３３Ｄの本体部１３３ａのうち、非吸水部１３１ｅに干渉しない部分において周方向ＣＤに沿って配置される。
【００８０】
なお、複数の突出部１３３ｂの一部又は全部が本体部１３３ａとともに単一の部材を構成していてもよいし、複数の突出部１３３ｂの一部又は全部が本体部１３３ａに対して別部材であってもよい。また、突出部１３３ｂの数は、５つに限られず、２以上であれば特に限定されない。
【００８１】
（第６変形例）
図１２を参照して、本発明の実施形態の第６変形例に係る加湿装置１００を説明する。第６変形例に係る加湿装置１００では、側面断面視において水槽１９の底面１９ａが最下部ＢＴを有する点で、第６変形例は、図５を参照して説明した本実施形態に係る加湿装置１００と主に異なる。以下、第６変形例が本実施形態と異なる点を主に説明する。
【００８２】
図１２は、第６変形例に係る加湿装置１００の一部を拡大して示す断面図である。図１２では、第６変形例に係る加湿装置１００の側面断面視において、図２に示す領域Ａに対応する領域を拡大している。また、図１２では、水槽１９の水Ｗが減少して、水槽１９の水位が所定水位レベルＬＶよりも低い場合を示している。
【００８３】
図１２に示すように、水槽１９は底面１９ａを有する。底面１９ａは、側面断面視において最下部ＢＴを有する。底面１９ａは、側面断面視において最下部ＢＴに向かって傾斜している。従って、水槽１９の水Ｗが減少すると、水Ｗは底面１９ａの最下部ＢＴに集まる。そして、突出部１３３ｂは、水槽１９の底面１９ａの最下部ＢＴに接触する。従って、本実施形態によれば、突出部１３３ｂは、水槽１９の底面１９ａに残留する水Ｗを効果的に吸水できる。その結果、水槽１９内に水Ｗが残留することを更に抑制できる。具体的には、突出部１３３ｂの接触片１３３１が、水槽１９の底面１９ａの最下部ＢＴに接触する。
【００８４】
以上、図面を参照して本発明の実施形態について説明した。ただし、本発明は、上記の実施形態に限られるものではなく、その要旨を逸脱しない範囲で種々の態様において実施できる。また、上記の実施形態に開示される複数の構成要素は適宜改変可能である。例えば、ある実施形態に示される全構成要素のうちのある構成要素を別の実施形態の構成要素に追加してもよく、または、ある実施形態に示される全構成要素のうちのいくつかの構成要素を実施形態から削除してもよい。
【００８５】
また、図面は、発明の理解を容易にするために、それぞれの構成要素を主体に模式的に示しており、図示された各構成要素の厚さ、長さ、個数、間隔等は、図面作成の都合上から実際とは異なる場合もある。また、上記の実施形態で示す各構成要素の構成は一例であって、特に限定されるものではなく、本発明の効果から実質的に逸脱しない範囲で種々の変更が可能であることは言うまでもない。
【００８６】
図１〜図１２を参照して説明した加湿装置１００は、加湿フィルター１３３、１３３Ａ〜１３３Ｃが回転する回転式の加湿装置であった。ただし、本発明の適用は、加湿フィルターの本体部が水槽の底面に対して離隔している限りにおいては、回転式の加湿装置に限定されない。例えば、本発明は、静止した加湿フィルターを用いる気化方式の加湿装置（例えば、毛細管式の加湿装置）に対しても適用できる。この場合、加湿フィルターが、本体部の外縁に沿った方向に交差するように本体部から突出する突出部を有すると、本体部が水槽の底面に対して離隔している場合であっても、突出部によって水槽の底面に残留している水を吸水できる。その結果、水槽内に水が残留することを抑制できる。
【産業上の利用可能性】
【００８７】
本発明は、加湿フィルター、及び、加湿装置を提供するものであり、産業上の利用可能性を有する。
【符号の説明】
【００８８】
１９    水槽
１００    加湿装置
１３１    フィルターホルダー
１３３、１３３Ａ〜１３３Ｄ    加湿フィルター
１３３ａ    本体部
１３３ｂ    突出部
１３３５    ブラシ
ＳＬ    スリット
【図１】
2020204419.tif 000003
【図２】
2020204419.tif 000004
【図３】
2020204419.tif 000005
【図４】
2020204419.tif 000006
【図５】
2020204419.tif 000007
【図６】
2020204419.tif 000008
【図７】
2020204419.tif 000009
【図８】
2020204419.tif 000010
【図９】
2020204419.tif 000011
【図１０】
2020204419.tif 000012
【図１１】
2020204419.tif 000013
【図１２】
2020204419.tif 000014